(57)【特許請求の範囲】
【請求項１】
カードを挿入可能なハウジングと、このハウジングに配置され、前記カードの下面に設けられた複数の外部接続部にそれぞれ接続可能な複数の端子部材とを備え、
前記複数の端子部材が、前記ハウジングの内底面に配置され、前記カードの挿入方向に沿って並設され、前記カードの前記複数の外部接続部のうちの後端部側に設けられた第１外部接続部と接続可能な第１端子部材と、前記カードの前記複数の外部接続部のうちの前端部側に設けられた第２外部接続部と接続可能な第２端子部材とから成り、
前記ハウジングの内底面に設けられ、前記カードの挿入に際して前記カードの挿入口に近い側に位置する前記第１端子部材を、前記カードの第２外部接続部から離れる方向に変位させることが可能な駆動部材を備え、
この駆動部材に、前記第１端子部材よりも前記カードの前記挿入口側に位置させた接地部を設け、
前記駆動部材を、前記カードと当接する方向に付勢する付勢部材を備え、この付勢部材と前記接地部とを電気的に接続させたことを特徴とするカード用コネクタ。
【請求項２】
請求項１記載のカード用コネクタにおいて、
前記付勢部材と前記第１端子部材のグランド用端子とを電気的に接続させたことを特徴とするカード用コネクタ。
【請求項３】
請求項１または２記載のカード用コネクタにおいて、
前記カードの下面に、前記接地部と接続可能な接地用外部接続部を設けたことを特徴とするカード用コネクタ。
【発明の詳細な説明】
【技術分野】
【０００１】
本発明は、挿入されるカードの第１外部接続部と接続可能で挿入口側に配置される第１端子部材と、カードの第２外部接続部と接続可能で装置奥側に配置される第２端子部材とを備えたカード用コネクタに関する。
【背景技術】
【０００２】
この種の従来技術として、特許文献１に示されるものがある。この従来技術は、下面側に切欠き部を有するカードを挿入可能なハウジングと、このハウジングに配置され、カードの下面に設けられた複数の外部接続部にそれぞれ接続可能な複数の端子部材とを備えている。複数の端子部材は、ハウジングの内底面に配置され、カードの挿入方向に沿って並設され、カードの複数の外部接続部のうちの後端部側に設けられた第１外部接続部と接続可能な第１端子部材と、カードの複数の外部接続部のうちの前端部側に設けられた第２外部接続部と接続可能な第２端子部材とから成っている。また、ハウジングの内底面に設けられ、カードの挿入に際してカードの挿入口に近い側に位置する第１端子部材を、カードの第２外部接続部と接触しないように変位させることが可能な駆動部材を備えている。この駆動部材には、カードの挿入経路内に臨出し、カードの前述した切欠き部に嵌入可能な係合突部が設けられている。
【０００３】
このように構成される従来技術では、カードの挿入時に、カードの下面に当接する係合突部を介して駆動部材を押圧することにより、第１端子部材をカードの第２外部接続部に接触しないように、この駆動部材がカードの下面から離反させた非接触位置へ押し下げられるようになっている。また、カード挿入完了位置すなわち所定の装着位置で、カードの第２外部接続部が第２端子部材に接続されるとともに、駆動部材の係合突部がカードの切欠き部に嵌入して駆動部材に対する押圧力が解かれることにより、第１端子部材が前述の非接触位置から上昇してカードの第１外部接続部に接続されるようになっている。
【特許文献１】特開２００６−１４７２８１公報
【発明の開示】
【発明が解決しようとする課題】
【０００４】
前述した従来技術にあっては、カードの挿入方向の手前側に位置する第１端子部材が、カードの挿入口に近い位置にカードの第１外部接続部と接触する接点部を有する構成となっている。このために、カードの挿入に際して、カードに不要な静電気などが帯電していると、第１端子部材の接点部に放電する虞があった。このような第１端子部材の接点部への放電を生じると、第１端子部材や第１端子部材に電気的に接続している電気部品が破損してしまう懸念があった。
【０００５】
本発明は、前述した従来技術における実状からなされたもので、その目的は、カードの挿入に際して、このカードに不要な静電気などが帯電していても、カードから第１端子部材への放電を防ぐことができるカード用コネクタを提供することにある。
【課題を解決するための手段】
【０００６】
この目的を達成するために、本発明に係るカード用コネクタは、カードを挿入可能なハウジングと、このハウジングに配置され、前記カードの下面に設けられた複数の外部接続部にそれぞれ接続可能な複数の端子部材とを備え、前記複数の端子部材が、前記ハウジングの内底面に配置され、前記カードの挿入方向に沿って並設され、前記カードの前記複数の外部接続部のうちの後端部側に設けられた第１外部接続部と接続可能な第１端子部材と、前記カードの前記複数の外部接続部のうちの前端部側に設けられた第２外部接続部と接続可能な第２端子部材とから成り、前記ハウジングの内底面に設けられ、前記カードの挿入に際して前記カードの挿入口に近い側に位置する前記第１端子部材を、前記カードの第２外部接続部から離れる方向に変位させることが可能な駆動部材を備え、この駆動部材に、前記第１端子部材よりも前記カードの前記挿入口側に位置させた接地部を設け、前記駆動部材を、前記カードと当接する方向に付勢する付勢部材を備え、この付勢部材と前記接地部とを電気的に接続させたことを特徴としている。
【０００７】
このように構成した本発明は、カードが挿入された際に、このカードが不要に帯電している場合には、このカードが第１端子部材に接触する前に駆動部材の接地部に接触することにより、この接地部を介して放電される。すなわち、カードの挿入に際して、カードに不要な静電気などが帯電していても、第１端子部材への放電を防ぐことができる。これにより、挿入されるカードの帯電に伴う第１端子部材の破損を確実に防止することができる。
【０００８】
また、このように構成した本発明は、付勢部材に接地部を接地させる経路を兼用させることができ、部品点数を削減できる。
【０００９】
また、本発明に係るカード用コネクタは、前記発明において、前記付勢部材と前記第１端子部材のグランド用端子とを電気的に接続させたことを特徴としている。このように構成した本発明は、付勢部材を介して接地部と第１端子部材のグランド用端子とを電気的に接続させることができ、放電経路を基本的に１つの経路に簡易化することができる。
【００１０】
また、本発明に係るカード用コネクタは、前記発明において、前記カードの下面に、前記接地部と接続可能な接地用外部接続部を設けたことを特徴としている。このように構成した本発明は、カードが挿入された際に、接地用外部接続部を介してカードが接地接続されるので、カード内の電気回路の電位を安定化させることができる。
【発明の効果】
【００１１】
本発明に係るカード用コネクタは、カードの挿入時に、カードの第２外部接続部に第１端子部材が接触しないようにこの第１端子部材を押し下げる駆動部材に、第１端子部材よりもカードの挿入口側に位置させた接地部を設けたことから、カードの挿入に際してカードに不要な静電気などが帯電していても、カードが駆動部材の接地部に接触して放電するので第１端子部材への放電を防ぐことができる。これにより、従来懸念されていたカードの帯電に伴う第１端子部材や第１端子部材に電気的に接続している電気部品の破損を確実に防ぐことができ、従来に比べて信頼性の高いカード用コネクタを実現させることができる。また、付勢部材に接地部を接地させる経路を兼用させることができ、部品点数を削減できる。
【発明を実施するための最良の形態】
【００１２】
以下，本発明に係るカード用コネクタを実施するための最良の形態を図に基づいて説明する。
【００１３】
［本実施形態に使用されるカード］
図１は本発明に係るカード用コネクタの一実施形態に使用されるカードを示す図で、（ａ）図は平面図、（ｂ）図は下面側を示す斜視図である。
【００１４】
これらの図１の（ａ）（ｂ）図に示すように、本実施形態に使用されるカード１の下面には、本実施形態に係るカード用コネクタへのカード１の挿入時、及び本実施形態に係るカード用コネクタからのカード１の抜き取り時に把持される後端部１ａ側に第１外部接続部１ｂを有し、前端部１ｃ側に第２外部接続部１ｄを有し、第１外部接続部１ｂと後端部１ａとの間に、接地用外部接続部１ｅを有している。なお、図示省略するが、このカード１の下面には前述した従来技術と同等の切欠き部が設けられている。
【００１５】
［本実施形態に係るカード用コネクタ］
図２は本発明に係るカード用コネクタの一実施形態を示す斜視図、図３は本実施形態においてカバー部材を除いた状態を示す平面図、図４は本実施形態に備えられる駆動部材を示す図で、（ａ）図は斜視図、（ｂ）図は側面図、図５は本実施形態に備えられる接地部及び付勢部材を示す斜視図、図６は本実施形態に備えられる付勢部材と、第１端子部材に含まれるグランド用端子との配置関係を示す斜視図である。
【００１６】
本実施形態に係るカード用コネクタは、図２に示すように、図１に示したカード１が挿入されるハウジング２と、このハウジング２を覆うカバー部材１０とを備えている。手前側の開口部が、カード１の挿入口２ａとなっている。
【００１７】
ハウジング２の内底面には、図３に示すように、挿入口２ａ側に、カード１の第１外部接続部１ｂに接触可能な接点部２ｂ１を有する第１端子部材２ｂを複数配置してあり、装置の奥側位置にカード１の第２外部接続部１ｄに接触可能な接点部２ｃ１を有する第２端子部材２ｃを複数配置してある。すなわち、第１端子部材２ｂと第２端子部材２ｃとを、カード１の挿入方向に沿って並設してある。
【００１８】
また、ハウジング２の内底面に、カード１の挿入口２ａに近い側に位置する第１端子部材２ｂを変位させることが可能な駆動部材３を配置してある。なお、図示省略するが、この駆動部材３の上面には、カード１の挿入経路内に膨出し、前述したカード１の図示省略した切欠き部に係合可能な、前述した従来技術と同等の係合突部が設けられている。
【００１９】
カード１の挿入時にカード１の下面を駆動部材３の図示省略した係合突部に当接させて駆動部材３を押圧することにより、この駆動部材３が第１端子部材２ｂをカード１の下面から離反させた非接触位置へ押し下げ、かつ、カード１の挿入完了位置すなわち所定の装着位置で、駆動部材３の図示省略した係合突部をカード１の図示省略した切欠き部に嵌入させて駆動部材３への押圧力を解除させることにより、第１端子部材２ｂが非接触位置から上昇して、この第１端子部材２ｂの接点部２ｂ１が駆動部材３を介してカード１の下面の第１外部接続部１ｂに接触するように構成されている。
【００２０】
また、本実施形態は、カード１の前端部１ｃが係合する係合部４ａを有するスライダ４と、このスライダ４を挿入口２ａ方向に付勢するコイルばね５を備えている。例えばスライダ４にはハートカム４ｂを形成してあり、ハウジング２にはハートカム４ｂに係合するピンを下方に有する摺動部材６を揺動自在に設けてある。さらに、装置の奥側位置には、平面内を回動可能で、挿入口２ａ方向に付勢され、ハウジング２内に挿入されたカード１の前端部１ｃに係合して、このカード１を排出させる力をカード１に付与可能な排出レバー７を設けてある。
【００２１】
上述した駆動部材３は、図４にも示すように、回動支軸を形成する軸３ａと、第１端子部材２ｂの接点部２ｂ１が突出可能な複数の窓３ｂを有している。また、この駆動部材３に、第１端子部材２ｂよりも挿入口２ａ側に位置し、導電性金属板から成る接地部８を、例えばインサート成形により一体的に設けてある。図５に示すように、接地部８は、前述したカード１の接地用外部接続部１ｅに接触可能な一対の突起８ａを有している。これらの突起８ａは、駆動部材３の突起部３ｃ部分に配置してある。
【００２２】
また、同図５に示すように、接地部８の両側部に、接地部８と一体的に駆動部材３を上方へ付勢する弾性力を有し、導電性金属板から成る付勢部材９を設けてある。すなわち、付勢部材９と接地部８とを電気的に接続させてある。
【００２３】
さらに、図６に示すように、付勢部材９のそれぞれと、第１端子部材２ｂのグランド用端子２ｂ２とを接触させ、電気的に接続させてある。
【００２４】
［本実施形態へのカード挿入動作］
図７はカードが所定の装着位置に装着されたときの本実施形態の状態を示す図で、（ａ）図は平面図、（ｂ）図は（ａ）図からカードを除いた平面図である。
【００２５】
カード１の後端部１ａを把持して、本実施形態に係るカード用コネクタの挿入口２ａからハウジング２内にカード１を挿入すると、カード１の前端部１ｃがスライダ４の係合部４ａに係合し、カード１の押し込みに伴ってコイルばね５の力に抗して、このスライダ４が装置の奥側に向かって摺動する。また、カード１の前端部１ｃが排出レバー７に係合し、この排出レバー７をばねの力に抗して反時計回りに回動させる。前述したスライダ４の摺動に伴って、このスライダ４に設けたハートカム４ｂ上を、摺動部材６のピンが相対的に摺動する。挿入完了位置で、摺動部材６のピンがハートカム４ｂのロック部４ｂ１に係止され、図７の（ａ）図に示すようにカード１が所定の装着位置に装着され、ロックされる。
【００２６】
前述のようにしてハウジング２内にカード１が挿入される際に、カード１が静電気などの不要な帯電をしているときには、カード１が駆動部材３の接地部８に接触することにより、この接地部８、付勢部材９、及び第１端子部材２ｂのグランド用端子２ｂ２を経て放電される。
【００２７】
その後、カード１の下面が前述したように駆動部材３の図示省略した係合突部に当接することによって、付勢部材９の弾性力に抗して駆動部材３が軸３ａを中心に下方へ回動し、この駆動部材３によって第１端子部材２ｂがカード１の第２外部接続部１ｄに接触しないように押し下げられる。そして、図７に示す所定の装着位置付近に至ると、カード１の下面の第２外部接続部１ｄとハウジング２の第２端子部材２ｃとが接続される。これとともに、カード１の下面に形成した図示省略した切欠き部に、駆動部材３の図示省略した係合突部が係合し、付勢部材９の弾性力によって駆動部材３が上方へ回動する。これによって、駆動部材３の窓３ｂから第１端子部材２ｂの接点部２ｂ１が突出してカード１の下面の第１外部接続部１ｂに接触し、第１端子部材２ｂとカード１の第１外部接続部１ｂとが接続される。
【００２８】
また、カード１の下面に形成した接地用外部接続部１ｅが、接地部８の一対の突起８ａのそれぞれに接触する。したがって、カード１が帯電したとしても、このカード１の接地用外部接続部１ｅと接地部８の突起８ａを介して、さらに、接地部８に接続された付勢部材９、付勢部材９に接触する第１端子部材２ｂのグランド用端子２ｂ２を介して放電される。
【００２９】
図７に示すように、カード１が所定の装着位置に保持されている状態では、第１端子部材２ｂとカード１の第１外部接続部１ｂとの接続、及び第２端子部材２ｄとカード１の第２外部接続部１ｄとの接続により、カード１に対する信号の送受信が可能となる。
【００３０】
［本実施形態からのカード排出動作］
図８は排出に際してカードをオーバーストロークさせたときの本実施形態の状態を示す図で、（ａ）図は平面図、（ｂ）図は（ａ）図からカードを除いた平面図、図９はカードを排出させたときの本実施形態の状態を示す図で、（ａ）図は平面図、（ｂ）図は（ａ）図からカードを除いた平面図である。
【００３１】
このように所定の装着位置に保持されているカード１を排出させる際には、図８に示すように、カード１の後端部１ａを押圧してカード１をオーバーストロークさせることが行われる。これにより、カード１の前端部１ｃと係合する係合部４ａを介してスライダ４がわずかに装置の奥側に摺動し、摺動部材６のピンがハートカム４ｂのロック部４ｂ１から離脱する。また、排出レバー７がさらにわずかに反時計回りに回動する。
【００３２】
この状態からカード１の後端部１ａに与えていた押圧力を解くと、コイルばね５の力によりスライダ４が挿入口２ａ方向に摺動し、また、排出レバー７がばねによる付勢力で時計回りに回動し、これらによって図９に示すようにカード１が排出される。したがって、カード１の後端部１ａを把持して、このカード１を本実施形態に係るカード用コネクタから抜き取ることができる。
【００３３】
前述のように、カード１を図８に示すオーバーストロークさせた状態から図９に示す排出させた状態に至る間、カード１の下面の図示省略した切欠き部から駆動部材３の上面の図示省略した係合突部が離脱し、この係合突部を介して押圧された駆動部材３が下方に回動し、第１端子部材２ｂをカード１の下面から離反させてカード１の第２外部接続部１ｄに接触しない非接触位置へ押し下げる。また、カード１を抜き取ると、付勢部材９の弾性力により駆動部材３は上方へ回動し、本実施形態に係るカード用コネクタは待機状態に復帰する。
【００３４】
本実施形態の駆動部材３は、図示しない係合突部を有しているものとして説明したが、係合突部を有していない場合もある。この場合、カード１の挿入に伴って、接地部８がカード１の下面と接触することで駆動部材３が押下げられることとなり、これにより第１端子部材２ｂが押下げられることとなる。カード１を所定の装着位置まで挿入していくとき、カード１の下面と第１端子部材２ｂの接点部２ｂ１とは接触した状態で推移することとなる。このように駆動部材３が係合突部を有していない場合、この駆動部材３による第１端子部材２ｂの押下げにより第１端子部材２ｂの先端とカード１とが接触することにより第１端子部材２ｂの座屈などの損傷を防止することができる。
【００３５】
［本実施形態の効果］
カード１がハウジング２の挿入口２ａから挿入された際に、カード１に静電気などが帯電している場合には、このカード１が第１端子部材２ｂに接触する前に駆動部材３に一体的に設けられた接地部８に接触し、この接地部８を介して放電される。すなわち、カード１の挿入に際して、カード１に不要な静電気などが帯電していても、第１端子部材２ｂへの放電を防ぐことができる。これにより、挿入されるカード１の帯電に伴う第１端子部材２ｂや第１端子部材に電気的に接続している電気部品の破損を確実に防止でき、信頼性の高いカード用コネクタを実現させることができる。
【００３６】
また、駆動部材３を付勢する付勢部材９と接地部８とを一体に設け、付勢部材９と接地部８とを電気的に接続させたことから、付勢部材９に接地部８を接地させる経路を兼用させることができ、部品点数を削減できる。これにより製作費を抑えることができる。
【００３７】
また、付勢部材９と第１端子部材２ｂのグランド用端子２ｂ２とを接触させるように設け、これらの付勢部材９と第１端子部材２ｂとを電気的に接続させたことから、放電経路を基本的に１つの経路に簡易化することができ、放電経路の構成を簡単にすることができる。
【００３８】
また、カード１の下面に、接地部８の突起８ａと接触可能な接地用外部接続部１ｅを設けたことから、カード１が挿入され、所定の装着位置に装着された際に、接地用外部接続部１ｅを介してカード１が接地接触されるので、カード１内の電気回路の電位を安定化させることができる。これによっても、信頼性の高いカード用コネクタを実現させることができる。
【図面の簡単な説明】
【００３９】
【図１】本発明に係るカード用コネクタの一実施形態に使用されるカードを示す図で、（ａ）図は平面図、（ｂ）図は下面側を示す斜視図である。
【図２】本発明に係るカード用コネクタの一実施形態を示す斜視図である。
【図３】本実施形態においてカバー部材を除いた状態を示す平面図である。
【図４】本実施形態に備えられる駆動部材を示す図で、（ａ）図は斜視図、（ｂ）図は側面図である。
【図５】本実施形態に備えられる接地部及び付勢部材を示す斜視図である。
【図６】本実施形態に備えられる付勢部材と、第１端子部材に含まれるグランド用端子との配置関係を示す斜視図である。
【図７】カードが所定の装着位置に装着されたときの本実施形態の状態を示す図で、（ａ）図は平面図、（ｂ）図は（ａ）図からカードを除いた平面図である。
【図８】排出に際してカードをオーバーストロークさせたときの本実施形態の状態を示す図で、（ａ）図は平面図、（ｂ）図は（ａ）図からカードを除いた平面図である。
【図９】カードを排出させたときの本実施形態の状態を示す図で、（ａ）図は平面図、（ｂ）図は（ａ）図からカードを除いた平面図である。
【符号の説明】
【００４０】
１    カード
１ａ  後端部
１ｂ  第１外部接続部
１ｃ  前端部
１ｄ  第２外部接続部
１ｅ  接地用外部接続部
２    ハウジング
２ａ  挿入口
２ｂ  第１端子部材
２ｂ１  接点部
２ｂ２  グランド用端子
２ｃ  第２端子部材
２ｃ１  接点部
３    駆動部材
３ａ  軸
３ｂ  窓
３ｃ  突出部
４    スライダ
４ａ  係合部
４ｂ  ハートカム
４ｂ１  ロック部
５    コイルばね
６    摺動部材
７    排出レバー
８    接地部
８ａ  突起
９    付勢部材
１０    カバー部材
【図１】
0004612077.tif 000002
【図２】
0004612077.tif 000003
【図３】
0004612077.tif 000004
【図４】
0004612077.tif 000005
【図５】
0004612077.tif 000006
【図６】
0004612077.tif 000007
【図７】
0004612077.tif 000008
【図８】
0004612077.tif 000009
【図９】
0004612077.tif 000010